(57)【要約】【課題】  映像コンテンツの進行に沿って、意図したタイミングで視聴中のユーザに特定の操作を促すこと。【解決手段】  コンテンツ配信システム、映像コンテンツを視聴中のユーザに、前記映像コンテンツ中に表れている事物を対象とした特定の機能の利用を案内する案内コンテンツと、前記映像コンテンツの表示中における前記案内コンテンツの表示タイミングを定めた配信スケジュールとを格納する記憶部と、映像コンテンツを視聴中のユーザ端末に、前記配信スケジュールに従って前記案内コンテンツを配信するコンテンツ配信制御部と、を備える。【選択図】  図１
2010245773.tif 000002
【特許請求の範囲】
【請求項１】
映像コンテンツを視聴中のユーザに、前記映像コンテンツ中に表れている事物を対象とした特定の機能の利用を案内する案内コンテンツと、前記映像コンテンツの表示中における前記案内コンテンツの表示タイミングを定めた配信スケジュールとを記憶する記憶部と、
映像コンテンツを視聴中のユーザ端末に、前記配信スケジュールに従って前記案内コンテンツを配信するコンテンツ配信制御部と、を備えるコンテンツ配信システム。
【請求項２】
前記案内コンテンツには、前記映像コンテンツ中に表れている事物を対象とした特定の機能を利用するための操作内容の表示、または、前記映像コンテンツ中に表れている事物を対象とした特定の機能の利用を受け付ける第２のコンテンツへのハイパーリンクが設定された操作要素が含まれる請求項１のコンテンツ配信システム。
【請求項３】
広告主の商品またはサービスが取り上げられているタイミングで、当該広告主の商品またはサービスの詳細情報を表示するための操作内容の表示を含む案内コンテンツ、または、当該広告主の商品またはサービスの詳細情報を表示するコンテンツへのハイパーリンクが設定された操作要素を含む案内コンテンツを配信する請求項１または２のコンテンツ配信システム。
【請求項４】
番組宣伝シーンの表示タイミングで、当該番組を対象とした予約を受け付けるための操作内容の表示を含む案内コンテンツ、または、当該番組を対象とした予約を受け付ける予約受付コンテンツへのハイパーリンクが設定された操作要素を含む案内コンテンツを配信する請求項１から３いずれか一のコンテンツ配信システム。
【請求項５】
番組宣伝シーンの表示タイミングで、当該番組を対象とした放送スケジュールを表示するための操作内容の表示を含む案内コンテンツ、または、当該番組を対象とした放送スケジュールを表示するコンテンツへのハイパーリンクが設定された操作要素を含む案内コンテンツを配信する請求項１から４いずれか一のコンテンツ配信システム。
【請求項６】
前記映像コンテンツは録画コンテンツであり、
前記案内コンテンツによって表示した操作内容の入力または操作要素の起動が行われた場合に、映像コンテンツの再生を一時中断し、前記操作内容による機能の利用が終了した後で、前記一時中断した時点から再生を再開する請求項１から５いずれか一のコンテンツ配信システム。
【請求項７】
さらに、視聴中の映像コンテンツを録画する録画部を備え、
前記案内コンテンツによって表示した操作内容の入力または操作要素の起動が行われた場合に、映像コンテンツの録画を開始する請求項１から６いずれか一のコンテンツ配信システム。
【請求項８】
前記案内コンテンツによって表示した操作内容の入力または操作要素の起動による、機能の利用が終了した後で、ユーザ端末に対し、前記録画した映像コンテンツを再生するか否かを問い合わせる請求項７のコンテンツ配信システム。
【請求項９】
前記配信スケジュールは、同一シーンの表示中の一定期間、前記案内コンテンツを複数回繰り返し送信するよう設定されていること、
請求項１から８いずれか一のコンテンツ配信システム。
【請求項１０】
請求項１から８いずれか一のコンテンツ配信システムから案内コンテンツを受信し、映像コンテンツとともに、表示部に表示するコンテンツ取得提示部を備えたことを特徴とするコンテンツ受信端末。
【請求項１１】
映像コンテンツを視聴中のユーザに、前記映像コンテンツ中に表れている事物を対象とした特定の機能の利用を案内する案内コンテンツと、前記映像コンテンツの表示中における前記案内コンテンツの表示タイミングを定めた配信スケジュールとを記憶する記憶部と、
映像コンテンツを視聴中に、前記配信スケジュールに従って、表示装置の映像コンテンツを表示する映像表示領域とは別に設けられたコンテンツ表示領域に、前記案内コンテンツを表示するコンテンツ受信端末。
【請求項１２】
映像コンテンツを解析して、前記映像コンテンツ中に表れている事物を対象とした特定の機能の利用を案内する案内コンテンツと、前記映像コンテンツの表示中における前記案内コンテンツの表示タイミングを定めた配信スケジュールと、をそれぞれ作成するステップと、
映像コンテンツを視聴中のユーザのユーザ端末に、前記配信スケジュールに従って、前記案内コンテンツを配信し、表示させるステップと、
を含むコンテンツの配信方法。
【請求項１３】
映像コンテンツ中に表れている事物を対象とした特定の機能の利用を案内する案内コンテンツと、前記映像コンテンツの表示中における前記案内コンテンツの表示タイミングを定めた配信スケジュールとの入力を受け付けて、それぞれ記憶する処理と、
映像コンテンツを視聴中のユーザ端末に、前記配信スケジュールに従って前記案内コンテンツを配信する処理と、をコンピュータに実行させるプログラム。
【発明の詳細な説明】
【技術分野】
【０００１】
本発明は、コンテンツ配信システム、コンテンツ受信端末、コンテンツの配信方法およびプログラムに関し、特に、映像コンテンツを視聴中のユーザに対し、特定の動作を促す案内コンテンツを提示するコンテンツ配信システム、コンテンツ受信端末、コンテンツの配信方法およびプログラムに関する。
【背景技術】
【０００２】
近年、テレビ番組の視聴者をインターネット上の商品紹介サイトや番組紹介サイトに誘導する形態のＣＭ（Ｃｏｍｍｅｒｃｉａｌ  Ｍｅｓｓａｇｅ）や番組紹介（番組宣伝）が増加してきている。
【０００３】
特許文献１に、テレビ放送の任意の場面やＣＭに関連する情報をＷｅｂコンテンツとして準備し、放送コンテンツに含まれるコンテンツ情報に基づいて、アクセスセンタ経由で提供コンテンツを獲得する情報受信システムが開示されている。この情報受信システムによれば、ユーザは、放送を受信中に抽出され、コンテンツ情報記憶手段に記憶されている任意のコンテンツ情報を選択することで、Ｗｅｂコンテンツを閲覧することができるとされている。
【０００４】
特許文献２には、番組視聴中に視聴者が選択メニュー画面を呼び出して、放送番組の動画予告編、オプション情報、プレイバック再生映像の視聴のいずれかを選択すると、テレビ放送番組に重畳されたサブ画面に、インターネットを介して受信した動画予告編、オプション情報、プレイバック再生映像を表示するテレビジョン受信機が開示されている。
【先行技術文献】
【特許文献】
【０００５】
【特許文献１】特開２００６−２８５３６１号公報
【特許文献２】特開２００４−１５２２４号公報
【発明の概要】
【発明が解決しようとする課題】
【０００６】
特許文献１の情報受信システムを用いれば、視聴者やパーソナルコンピュータ（ＰＣ）や携帯電話端末を用いて該当するサイトにアクセスする際のＵＲＬの入力や検索エンジンの利用が不要となるが、視聴者が能動的に、蓄積されたコンテンツ情報の表示操作・選択操作を行わなければ、Ｗｅｂコンテンツを提示することができないという問題点がある（同文献の段落００３３等参照）。
【０００７】
この点は、特許文献２も同様であり、番組視聴中に視聴者が選択メニュー画面を呼び出さなければ、サブ画面におけるストリーミングコンテンツの再生も行われないという問題点がある。
【０００８】
本発明は、上記した事情に鑑みてなされたものであって、映像コンテンツの進行に沿った適切なタイミングで、映像コンテンツを視聴中のユーザに、機能の利用等を積極的に働きかけることができるコンテンツ配信システム、コンテンツ受信端末、コンテンツの配信方法およびプログラムを提供することにある。
【課題を解決するための手段】
【０００９】
本発明の第１の視点によれば、映像コンテンツを視聴中のユーザに、前記映像コンテンツ中に表れている事物を対象とした特定の機能の利用を案内する案内コンテンツと、前記映像コンテンツの表示中における前記案内コンテンツの表示タイミングを定めた配信スケジュールとを格納する記憶部と、映像コンテンツを視聴中のユーザ端末に、前記配信スケジュールに従って前記案内コンテンツを配信するコンテンツ配信制御部と、を備えるコンテンツ配信システムが提供される。
【００１０】
本発明の第２の視点によれば、上記したコンテンツ配信システムから案内コンテンツを受信し、映像コンテンツとともに、表示部に表示するコンテンツ・取得提示部を備えたことを特徴とするコンテンツ受信端末が提供される。
【００１１】
本発明の第３の視点によれば、映像コンテンツを視聴中のユーザに、前記映像コンテンツ中に表れている事物を対象とした特定の機能の利用を案内する案内コンテンツと、前記映像コンテンツの表示中における前記案内コンテンツの表示タイミングを定めた配信スケジュールとを記憶する記憶部と、映像コンテンツを視聴中に、前記配信スケジュールに従って、表示装置の映像コンテンツを表示する映像表示領域とは別に設けられたコンテンツ表示領域に、前記案内コンテンツを表示するコンテンツ受信端末が提供される。
【００１２】
本発明の第４の視点によれば、映像コンテンツを解析して、前記映像コンテンツ中に表れている事物を対象とした特定の機能の利用を案内する案内コンテンツと、前記映像コンテンツの表示中における前記案内コンテンツの表示タイミングを定めた配信スケジュールと、をそれぞれ作成するステップと、映像コンテンツを視聴中のユーザのユーザ端末に、前記配信スケジュールに従って、前記案内コンテンツを配信し、表示させるステップと、を含むコンテンツの配信方法が提供される。
【００１３】
本発明の第５の視点によれば、映像コンテンツ中に表れている事物を対象とした特定の機能の利用を案内する案内コンテンツと、前記映像コンテンツの表示中における前記案内コンテンツの表示タイミングを定めた配信スケジュールとの入力を受け付けて、それぞれ記憶する処理と、映像コンテンツを視聴中のユーザ端末に、前記配信スケジュールに従って前記案内コンテンツを配信する処理と、をコンピュータに実行させるプログラムが提供される。上記したコンテンツ配信システムまたはコンテンツ受信端末は、このプログラムは、所望のコンピュータにインストールすることにより実現することができる。
【発明の効果】
【００１４】
本発明によれば、映像コンテンツの進行に沿って、意図したタイミングで案内コンテンツを画面上に提示し、視聴中のユーザに特定の操作を促すことが可能となる。
【図面の簡単な説明】
【００１５】
【図１】本発明の概要を説明するための図である。
【図２】本発明の第１の実施形態の構成を表したブロック図である。
【図３】本発明の第１の実施形態のコンテンツ配信システムに保持される配信スケジュールの一例である。
【図４】本発明の第１の実施形態の動作を説明するためのフローチャートである。
【図５】本発明の第１の実施形態のコンテンツ受信端末が操作内容を受け付けた後の画面の例である。
【図６】本発明の第１の実施形態のコンテンツ受信端末が表示する別の案内コンテンツの例である。
【図７】本発明の第２の実施形態の構成を表したブロック図である。
【図８】本発明の第２の実施形態のコンテンツ配信システムに保持される配信スケジュールの一例である。
【図９】本発明の第２の実施形態の動作を説明するためのフローチャートである。
【図１０】本発明の第２の実施形態の動作を説明するための別のフローチャートである。
【図１１】本発明の第３の実施形態の構成を表したブロック図である。
【図１２】本発明の第４の実施形態の構成を表したブロック図である。
【図１３】本発明の第４の実施形態の動作を説明するためのフローチャートである。
【発明を実施するための形態】
【００１６】
続いて、本発明の概要について図１を参照して説明する。図１のコンテンツ受信装置の表示画面１０の映像コンテンツを表示する映像表示領域１０ａとは別に、あるいは、映像表示領域１０ａと重畳する態様で、案内コンテンツの表示領域１０ｂが設けられる。
【００１７】
コンテンツ配信システムの案内コンテンツ記憶部１８には、予め映像コンテンツを解析して、前記映像コンテンツ中に表れている事物を対象とした特定の機能の利用を案内する案内コンテンツが記憶されている。
【００１８】
コンテンツ配信システムの配信スケジュール記憶部１９には、上記映像コンテンツの表示中における前記案内コンテンツの表示タイミングを定めた配信スケジュールが記憶されている。
【００１９】
コンテンツ配信システムのコンテンツ配信制御部１７は、配信スケジュール記憶部１９に記憶された配信スケジュールに従って、案内コンテンツをコンテンツ受信装置に配信し、その表示画面１０に表示させる。
【００２０】
例えば、ある番組を対象とした録画機能の利用を案内する案内コンテンツと、この案内コンテンツを当該番組の番組紹介シーンと同期表示させるための配信スケジュールが作成されている場合、コンテンツ配信制御部１７は、図１に示すように、番組紹介シーンや次週の内容予告シーンが表示されている場面において、コンテンツ受信装置の表示画面１０にその録画を促す案内コンテンツを表示する。
【００２１】
以上により、映像コンテンツを視聴中のユーザを、紹介されている番組を録画するよう導くことができる。
【００２２】
また、地域や放送時間帯等によって、映像コンテンツに含まれるＣＭまたは番組紹介コンテンツが差し替えられることがあるが、本発明の構成によれば、案内コンテンツ記憶部１８に記憶する案内コンテンツの差し替え、または配信スケジュール記憶部１９に記憶する配信スケジュールを修正することで、これらの差し替えにも柔軟に対応することができるという利点がある。
【００２３】
［第１の実施形態］
続いて、本発明を第１の実施形態について図面を参照して詳細に説明する。なお、以下の説明においては、テレビ放送サービスとしてＩＰＴＶ（Ｉｎｔｅｒｎｅｔ  Ｐｒｏｔｏｃｏｌ  ＴｅｌｅＶｉｓｉｏｎ）サービスと連携する例を挙げて説明するが、本発明は、その他のテレビ放送サービスにも適用することが可能である。例えば、ケーブルテレビ放送サービス、地上／ＣＳ／ＢＳテレビ放送サービスであれば、それぞれ対応するヘッドエンド設備ならびに映像配信経路（ケーブル、電波、光ネットワークなど）および受信機（ＳＴＢ、テレビ受信機など）に置き換えることが可能である。
【００２４】
図２は、本発明の第１の実施形態の構成を表したブロック図である。図２を参照すると、コンテンツ受信端末として機能するセットトップボックス（以下、「ＳＴＢ」）１１と、ホームゲートウェイ（以下、「ＨＧＷ」）１２と、多チャンネルヘッドエンド設備（以下、「多チャンネルＨＥ」）１３と、コンテンツ配信制御部１７と、案内コンテンツ記憶部１８と、配信スケジュール記憶部１９と、が示されている。
【００２５】
ＳＴＢ１１は、映像取得提示部１１１と、コンテンツ取得提示部１１２とを含み、それぞれから受信した映像およびコンテンツを、表示装置に出力する。ＳＴＢ１１の映像取得提示部１１１は、ユーザの選局操作に基づいて、多チャンネルＨＥ１３およびコンテンツ配信制御部１７に、ＩＰマルチキャストにより伝送される多チャンネル放送の選局情報を送出し、多チャンネルＨＥ１３側から配信された映像ストリームを表示装置に出力する。
【００２６】
ＳＴＢ１１のコンテンツ取得提示部１１２は、コンテンツ配信制御部１７により配信された案内コンテンツを表示装置に出力する。例えば、多チャンネルＨＥ１３が映像音声をマルチキャスト配信している場合、当該マルチキャストアドレスの案内コンテンツ配信用に設けたポート番号に対してコンテンツデータをＵＤＰ（Ｕｓｅｒ  Ｄａｔａｇｒａｍ  Ｐｒｏｔｏｃｏｌ）配信する。ＳＴＢ１１は、映像取得提示部１１１およびコンテンツ取得提示部１１２を用いて、選局されたチャンネルに対応するマルチキャストアドレスの映像用のポート番号と音声用のポート番号に配信されるＵＤＰパケットをそれぞれ受信し、映像および案内コンテンツを取得提示する動作を行う。なお、本実施形態のＳＴＢ１１は、リモートコントローラ（以下、「リモコン」）の「赤ボタン」が押下されると、ユーザから肯定応答がなされたものとして動作するものとして説明する。
【００２７】
ＳＴＢ１１に接続された表示装置における案内コンテンツの出力態様は、ユーザの映像視聴を妨げるものでなく、また、ユーザが認識できるものであれば、その出力態様は限定されない。図６に示すように映像表示領域１０ａに重畳して、コンテンツ表示領域１０ｂを設けてもよいし、図１、図５に示すように、映像表示領域１０ａの外にコンテンツ表示領域１０ｂを設ける形態であってもよい。また、図１、図５に示すように、映像表示領域１０ａの外にコンテンツ表示領域１０ｂを設ける場合は、ウィジェット（Ｗｉｄｇｅｔ；画面上で特定の機能の実行等を受け付けるための簡易的なアプリケーションプログラム。）等を用いてコンテンツ表示領域１０ｂを構成することもできる。
【００２８】
ＨＧＷ１２は、通信会社のアクセスネットワークとユーザのホームネットワークの間の宅内ゲートウェイ装置またはアクセスネットワークの終端装置である。
【００２９】
多チャンネルＨＥ１３は、地上波／ＣＳ／ＢＳテレビ放送やコンテンツプロバイダから送信されている多チャンネル放送番組を受信し、ＭＰＥＧ（Ｍｏｖｉｎｇ  Ｐｉｃｔｕｒｅ  Ｅｘｐｅｒｔｓ  Ｇｒｏｕｐ）２またはＨ．２６４等の映像音声ストリームにエンコードし、さらにＩＰパケットに変換してＩＰマルチキャストによりアクセスネットワークに配信する。
【００３０】
コンテンツ配信制御部１７は、ＳＴＢ１１から送信された選局情報および配信スケジュール記憶部１９に記憶された配信スケジュールに基づき、案内コンテンツ記憶部１８に記憶された案内コンテンツをＳＴＢ１１に配信する。
【００３１】
なお、案内コンテンツの配信形態は、映像ストリームが多チャンネル放送であってマルチキャスト伝送されている場合には、案内コンテンツもＩＰマルチキャストにより伝送することが望ましい。これは、ユニキャスト伝送による配信をとると視聴中の全ユーザに向けてコンテンツの配信を行わなければならず、検索コンテンツ配信制御部１７の負荷が大きくなるためである。なお、ＩＰマルチキャストによる方法では、映像が配信されているマルチキャストアドレスにおいて案内コンテンツを別のポート番号で配信することができる。
【００３２】
案内コンテンツ記憶部１８に記憶される案内コンテンツは、多チャンネルＨＥ１３で配信されている番組の番組宣伝シーンやＣＭシーンで、各シーンに対応して、宣伝対象の番組録画を受け付けるコンテンツ（第２のコンテンツ）、放送スケジュールやＣＭで紹介されている商品やサービスの詳細情報を表示するコンテンツ（第２のコンテンツ）へのハイパーリンクが設定された操作要素、あるいは、これら録画や詳細情報の表示を行うための具体的な操作内容の表示（指示）を含んで構成される。このような案内コンテンツは、番組を作成した番組製作者や広告主側からの情報提供を受けて作成することができる。また、前記情報提供が得られない場合であっても、当該番組で放送される内容を事前に視聴・解析した結果、あるいは、各番組の過去の放送内容を分析した結果に基づいて案内コンテンツを作成することができる。
【００３３】
また、本実施形態における案内コンテンツは、ブラウザまたはウィジェットを用いて、表示し、また、ユーザから操作内容を受け付けるＧＵＩ（Ｇｒａｐｈｉｃａｌ  Ｕｓｅｒ  Ｉｎｔｅｒｆａｃｅ）部品（操作要素）を含む形態で作成することができる。このようなコンテンツは、ＨＴＭＬ（Ｈｙｐｅｒ  Ｔｅｘｔ  Ｍａｒｋｕｐ  Ｌａｎｇｕａｇｅ）またはＸＭＬ（ｅＸｔｅｎｓｉｂｌｅ  Ｍａｒｋ−ｕｐ  Ｌａｎｇｕａｇｅ）、ＣＳＳ（Ｃａｓｃａｄｉｎｇ  Ｓｔｙｌｅ  Ｓｈｅｅｔ）、ＪａｖａＳｃｒｉｐｔ（登録商標）等の標準的なインターネット技術を組み合わせて作成することが可能である。また、Ｊａｖａ（登録商標）等のプログラムによって案内コンテンツを作成し、配信と同時に実行させて外部のウェブサーバ等とデータ通信を行って操作内容を表示することとしてもよい。なお、案内コンテンツのうち、配信頻度が高いものはＳＴＢ１１内に予め組み込んでおいてもよい。また、案内コンテンツを構成する部品をＳＴＢ１１内に予め組み込んでおき、ＳＴＢ１１側にてこれらの部品を用いて案内コンテンツを構成する方法を採ってもよい。
【００３４】
配信スケジュール記憶部１９は、ユーザが受信している多チャンネル放送番組において、ユーザに提示する案内コンテンツを表示するタイミングを示した配信スケジュールを記憶する。
【００３５】
図３は、配信スケジュール記憶部１９に記憶される配信スケジュールの一例である。配信スケジュールには、多チャンネル放送の番組を識別するためのチャンネル（サービスＩＤ）、放送日時、イベントＩＤ、番組開始時刻、番組継続時間、案内コンテンツ表示開始時刻（番組開始からの相対時間）、案内コンテンツ表示継続時間および案内コンテンツＩＤを含んでいる。なお、イベントＩＤは、番組をユニークに識別するためのＩＤである。また、図３の案内コンテンツ表示継続時間は、当該シーンの途中から視聴を開始したユーザのために、案内コンテンツの配信を繰り返す時間を意味する。
【００３６】
図３の配信スケジュールによると、２００９年３月１日１５：００から放送のチャンネル（サービスＩＤ）の番組を視聴中のユーザに、案内コンテンツＩＤ「ＣＭ３００１２３４」で特定される案内コンテンツが番組開始から１分３０秒後に配信される。同様に、同番組を視聴中のユーザに対し、案内コンテンツＩＤ「ＣＭ４００５６７８」で特定される案内コンテンツが番組開始から３０分４５秒後に配信されることになる。また、２００９年３月１日１５：５５から放送の同一チャンネル（サービスＩＤ）の番組を視聴中のユーザに、案内コンテンツＩＤ「ＢＳ５００１３５７」で特定される案内コンテンツが番組開始から３０秒後に配信される。そして、案内コンテンツは、それぞれ案内コンテンツ表示継続時間に定められた期間、ネットワーク等に過度の負荷を与えないように定められた所定の間隔で、繰り返し配信される。
【００３７】
なお、図３の例では判りやすく説明するために、チャンネル（サービスＩＤ）、放送日時、番組開始時刻およびイベントＩＤとによって映像コンテンツを特定しているが、イベントＩＤにて番組を一意に特定可能であるため、チャンネル（サービスＩＤ）、放送日時、番組開始時刻等は、電子番組情報等から取得することが可能な環境であれば、チャンネル（サービスＩＤ）、放送日時、番組開始時刻は省略することができる。また、図３の例では、案内コンテンツ表示開始時刻は、番組開始からの相対時間で示しているが、絶対時間で表すことも可能である。
【００３８】
続いて、本実施形態の動作について図面を参照して詳細に説明する。図４は、本発明の第１の実施形態の動作を説明するためのフローチャートである。図４を参照すると、まず、ユーザはＳＴＢ１１を使用して、多チャンネルＨＥ１３によりＩＰマルチキャスト配信される多チャンネル番組を受信する。ＩＰＴＶでは多チャンネル放送はチャンネルごとに異なるＩＰマルチキャストアドレスで配信される方式を採ることが多い。本実施形態におおいても、ＳＴＢ１１の映像取得提示部１１１は、ＩＧＭＰ（Ｉｎｔｅｒｎｅｔ  Ｇｒｏｕｐ  Ｍｕｌｔｉｃａｓｔ  Ｐｒｏｔｏｃｏｌ）またはＭＬＤ（Ｍｕｌｔｉｃａｓｔ  Ｌｉｓｔｅｎｅｒ  Ｄｉｓｃｏｖｅｒｙ）プロトコル等を使用して希望するチャンネルを選択し、視聴を開始する（ステップＡ０１）。
【００３９】
コンテンツ配信制御部１７は、放送中の多チャンネル番組において、配信スケジュール記憶部１９から読み出した配信スケジュールに基づき、アクセスネットワークを介して、案内コンテンツ記憶部１８に記憶された案内コンテンツをＳＴＢ１１に配信する（ステップＡ０２、Ａ０３）。
【００４０】
ＳＴＢ１１は、例えば、図１の下段のように、表示装置の表示画面１０の映像表示領域１０ａに隣接して設けられたコンテンツ表示領域１０ｂに前記配信された案内コンテンツを表示する。
【００４１】
ユーザはコンテンツ表示領域１０ｂに表示された案内コンテンツを参照して、当該案内コンテンツに示された操作を行うか否かを判断する。ここで例えば、図１の下段のように、「次回の放送を予約？」を希望するならば、リモコンの「赤ボタン」を押下するとの操作案内に従い、ユーザが当該する操作内容を入力すると（ステップＡ０４のＹｅｓ）、ＳＴＢ１１は、当該操作内容に対応する処理を実行する（ステップＡ１０）。例えば、ＳＴＢ１１は、案内コンテンツに含まれる視聴予約または録画予約受付コンテンツ（第２のコンテンツ）のＵＲＬに当該番組のＩＤ等を引数として付加したハイパーリンクにより、映像表示領域１０ａに表示されている番組紹介シーンで取り上げられている番組の視聴予約または録画予約を受け付ける画面を表示する。図５は、図１の下段のように表示された案内コンテンツに従って、ユーザが「赤ボタン」を押下した後に表示される画面の例である。なお、ＳＴＢ１１が番組録画機能を持っていればＳＴＢ１１で前記予約した番組の録画を行ってもよいし、ＩＰＴＶサービスのｎＰＶＲ（ｎｅｔｗｏｒｋ  Ｐｅｒｓｏｎａｌ  Ｖｉｄｅｏ  Ｒｅｃｏｒｄｅｒ）録画機能を利用することとしてもよい。
【００４２】
上記案内コンテンツの表示および非表示は、配信スケジュールに従って、上記ステップＡ０４でユーザが操作内容を入力したか否かに拘らず、多チャンネル放送番組の視聴が終わるまで継続される。もちろん、ユーザがチャンネル切替を行った場合には、当該チャンネルについての配信スケジュールが参照されて、映像表示領域１０ａに表示された内容に沿った案内コンテンツが配信される。
【００４３】
以上のように、本実施形態では、番組紹介等が行われているときにＳＴＢ１１に対して、その紹介の対象となっている番組に関する機能（視聴予約または録画予約）の利用を促す案内コンテンツを配信し、ユーザから当該案内した機能の利用要求を受け付けることができる。
【００４４】
なお、案内コンテンツの内容および表示形態は、上記した視聴または録画予約の案内に限られず、映像コンテンツの内容に応じて適宜変形することができる。例えば、図６に示すように、映像表示領域１０ａに重畳する形で案内コンテンツ表示領域１０ｂを生成させ、ＣＭや番組で取り上げられている商品やサービス、あるいは、出演者、ＣＭの舞台（撮影地）等の詳細情報の取得をユーザに訴えかけても良い。
【００４５】
また、案内コンテンツに含めるハイパーリンク先やその内容についても、出演者、放送局、番組制作者、広告主、広告代理店またはユーザの要望などに基づいて適宜定めることができる。例えば、図６に示すように、案内コンテンツに従ってユーザが「赤ボタン」を押下した場合に、当該案内コンテンツに含まれるハイパーリンクにより、当該商品やサービスを紹介するウェブサイトや当該ＣＭの出演者や舞台を紹介するウェブサイトにアクセスするようにしてもよい。またあるいは、案内コンテンツに従ってユーザが「赤ボタン」を押下した場合に、当該案内コンテンツに含まれるハイパーリンクにより、広告主や広告代理店が指定した検索キーワードが入力された状態でインターネット検索エンジンの検索ページを表示させてもよい。
【００４６】
また例えば、映像表示領域１０ａに表示されている内容が、音楽番組やスポーツ番組である場合には、これらの番組に出演や実況されているアーティストやスポーツチーム、各種関連グッズに関する情報を提供するウェブコンテンツへのアクセスや、アーティストのコンサートチケットの残り席情報、スポーツチームの試合観戦チケットの残り席情報、チケット予約受付コンテンツへのアクセスを誘引する案内コンテンツを作成して配信するようにしてもよい。
【００４７】
［第２の実施形態］
続いて、ｎＰＶＲ（ｎｅｔｗｏｒｋ  Ｐｅｒｓｏｎａｌ  Ｖｉｄｅｏ  Ｒｅｃｏｒｄｅｒ）やＶｏＤ（Ｖｉｄｅｏ  ｏｎ  Ｄｅｍａｎｄ）サービスにて、配信される映像コンテンツと連携した案内コンテンツの配信を実現する本発明の第２の実施形態について図面を参照して詳細に説明する。
【００４８】
図７は、本発明の第２の実施形態の構成を表したブロック図である。上記した第１の実施形態の構成との相違点は、ｎＰＶＲ録画部（以下、「ｎＰＶＲ」）１４と、映像配信制御部１５と、映像コンテンツ記憶部１６とが追加されている点である。以下、これらの第１の実施形態との相違点を中心に説明する。
【００４９】
ｎＰＶＲ１４は、多チャンネルＨＥ１３でエンコードされた映像を番組単位にファイル化して録画し、映像コンテンツ記憶部１６に記録する。またその際に、ｎＰＶＲ１４は、別途供給される電子番組情報（ＥＰＧ）に基づいて、番組開始時刻、サービスＩＤ（放送チャンネルＩＤ）および番組継続時間等の情報をメタデータとして映像に関連付けて記録する。また、ｎＰＶＲ１４は、ユーザが案内コンテンツによる特定の機能を利用している期間の放送内容の再視聴を実現するために、放送中の多チャンネル番組を常時録画して映像コンテンツ記憶部１６に格納しておく。また、ＳＴＢ１１は、番組開始からどこまでを視聴したかを、例えば番組開始から視聴一時停止までの経過時間を記録する機能を備えているものとする。
【００５０】
映像コンテンツ記憶部１６は、番組単位に記録された映像ファイルとメタデータを関連付けて格納する。また、外部から搬入されたＶｏＤ映像コンテンツも同様に格納する。
【００５１】
映像配信制御部１５は、ＳＴＢ１１におけるユーザの操作に基づき、映像コンテンツ記憶部１６に格納された番組映像ファイルをＳＴＢ１１に配信する。
【００５２】
図８は、本実施形態の配信スケジュール記憶部１９に記憶される配信スケジュールの一例である。配信スケジュールには、映像コンテンツを特定するためのコンテンツＩＤ、映像コンテンツの種別（ＶｏＤ／ｎＰＶＲ）、番組継続時間、案内コンテンツ表示開始時刻（番組開始からの相対時間）、案内コンテンツ表示継続時間および案内コンテンツＩＤを含んでいる。なお、コンテンツＩＤは、映像コンテンツ記憶部１６に記憶された番組をユニークに識別するためのＩＤである。
【００５３】
また、ユーザの要求により１対１で映像を配信するｎＰＶＲやＶｏＤコンテンツに対応する案内コンテンツを配信する場合、案内コンテンツもまたユニキャストで配信してもコンテンツ配信制御部１７の負荷が過大となる可能性は少ない。そこで、本実施形態のコンテンツ配信制御部１７は、映像コンテンツがユニキャストで配信される場合、案内コンテンツもユニキャストによりプッシュ配信する。
【００５４】
続いて、本実施形態の動作について図面を参照して詳細に説明する。本実施形態の構成においても多チャンネルＨＥ１３から配信される多チャンネル放送番組と同期した案内コンテンツを配信することが可能であるが、はじめに、ＳＴＢ１１のユーザからｎＰＶＲ１４にて録画されたコンテンツやＶｏＤコンテンツの視聴要求がなされたものとして説明する。
【００５５】
図９は、本発明の第２の実施形態の動作を説明するためのフローチャートである。図９を参照すると、まず、ユーザはＳＴＢ１１を使用して、映像配信制御部１５に対して希望するコンテンツの配信を要求し、視聴を開始する（ステップＡ０１ａ）。この配信要求は、コンテンツ配信制御部１７にも送信される。
【００５６】
その後、コンテンツ配信制御部１７が配信スケジュールに従って案内コンテンツを配信し、ＳＴＢ１１に接続された表示装置に案内コンテンツが表示され、ユーザから操作内容を受け付けるまでの動作（ステップＡ０２〜Ａ０４）は第１の実施形態と同様である。
【００５７】
本実施形態では、ユーザがステップＡ０４において案内コンテンツに従い、操作内容を入力した時点で、ＳＴＢ１１はｎＰＶＲ１４にて録画されたコンテンツやＶｏＤコンテンツの再生を一時停止するよう映像配信制御部１５に要求する（ステップＡ０５）。そして、ＳＴＢ１１は、案内コンテンツに含まれるハイパーリンクに従って、例えば録画されたコンテンツやＶｏＤコンテンツに映し出されている関連映像コンテンツの視聴又は録画予約を受け付ける予約受付コンテンツや、商品・サービス等の詳細情報を提供するウェブサイトにアクセスし、その画面を表示する（ステップＡ１０）。
【００５８】
そして、上記予約受付コンテンツの利用やウェブサイトの閲覧が終了すると、ＳＴＢ１１は、先に一時停止した時点から録画コンテンツやＶｏＤコンテンツの再生を再開する。
【００５９】
続いて、本実施形態の構成にて、多チャンネルＨＥ１３から配信される多チャンネル放送番組と同期した案内コンテンツを配信する場合の動作について説明する。
【００６０】
図１０は、本発明の第２の実施形態の動作を説明するための別のフローチャートである。図１０を参照すると、ユーザがＳＴＢ１１を使用して、多チャンネルＨＥ１３によりＩＰマルチキャスト配信される多チャンネル番組の受信を開始し、ＳＴＢ１１に接続された表示装置に案内コンテンツが表示され、ユーザから操作内容を受け付けるまでの動作（ステップＡ０１〜Ａ０４）は第１の実施形態と同様である。
【００６１】
本実施形態では、ユーザがステップＡ０４において案内コンテンツに従い、操作内容を入力した時点で、ＳＴＢ１１は多チャンネル番組の再生を一時停止し、その番組開始からの経過時間を記録する（ステップＡ０５ａ）。さらにＳＴＢ１１は、案内コンテンツに含まれるハイパーリンクに従って、例えば録画されたコンテンツやＶｏＤコンテンツに映し出されている関連映像コンテンツの視聴又は録画予約を受け付ける予約受付コンテンツや、商品・サービス等の詳細情報を提供するウェブサイトにアクセスし、その画面を表示する（ステップＡ１０）。
【００６２】
そして、上記予約受付コンテンツの利用やウェブサイトの閲覧が終了し、ＳＴＢ１１がコンテンツ配信制御部１７にその旨を通知すると、コンテンツ配信制御部１７は、ユーザに対して、前記ステップＡ０５ａで再生を一時停止した時点から視聴を再開するか、または現在放送中の番組をそのままリアルタイムに視聴するかなどの選択を問い合わせるポップアップ画面等をＳＴＢ１１に表示させる（ステップＡ０８）。ここで、ユーザが前記ステップＡ０５ａで再生を一時停止した時点から視聴を再開することを選択した場合には、一時停止時点から番組が再生される（ステップＡ０９）。一時停止時点は、先のステップＡ０５ａで記録した番組開始からの経過時間によって特定される。
【００６３】
以上のように、本実施形態によれば、案内コンテンツを利用した特定の機能の利用を開始すると、コンテンツの再生が自動的に一時停止されるため、ユーザとしても、落ち着いて予約内容の確認やウェブサイトの閲覧を済ませ、その後にコンテンツの視聴を再開することが可能となる。
【００６４】
［第３の実施形態］
続いて、ＳＴＢ１１側に録画機能を具備させた本発明の第３の実施形態について図面を参照して詳細に説明する。
【００６５】
図１１は、本発明の第３の実施形態の構成を表したブロック図である。上記した第２の実施形態の構成との相違点は、ＳＴＢ１１が、配信された映像をローカルに記録するローカル映像コンテンツ記憶部１１３および録画制御部１１４とを備えている点である。以下、これらの第２の実施形態との相違点を中心に説明する。
【００６６】
本実施形態によれば、上述した第２の実施形態の動作を表した図１０のステップＡ０５ａにおいて、録画制御部１１４を通じて、その時点から配信された多チャンネル放送映像をローカル映像コンテンツ記憶部１１３に記録を開始する。
【００６７】
そして、先の第２の実施形態と同様に、ユーザが案内コンテンツによって誘導されたコ特定の機能の利用を終了したあと、ＳＴＢ１１はユーザに再生を一時停止した時点から視聴を再開するか否かを問い合わせる。ここで、再生を一時停止した時点から視聴を再開するとの選択がなされた場合、ＳＴＢ１１は、ローカル映像コンテンツ記憶部１１３に記録した配信映像を番組終了時点まで再生する。ユーザが番組をすべて視聴し終わった後は、録画制御部１１４は、ローカル映像コンテンツ記憶部１１３から記録した映像データを削除することができる。
【００６８】
以上のように、本実施形態によれば、ユーザのＳＴＢ１１側にも録画機能が備えられているため、ケーブルテレビ、地上／ＣＳ／ＢＳテレビ放送サービスのように、番組配信ネットワーク側に、ｎＰＶＲ相当の映像格納および録画機能を持たないサービスにおいても、第２の実施形態と同様の効果をユーザに提供することが可能となる。
【００６９】
［第４の実施形態］
続いて、ＳＴＢ１１側で配信スケジュールに基づいた案内コンテンツの提示を行う本発明の第４の実施形態について図面を参照して詳細に説明する。
【００７０】
図１２は、本発明の第４の実施形態の構成を表したブロック図である。上記した第１の実施形態の構成との相違点は、ＥＰＧ記憶部２０が備えられている点と、ＳＴＢ１１が案内コンテンツ記憶部１１５と、配信スケジュール記憶部１１６とを備えている点である。以下、これらの第１の実施形態との相違点を中心に説明する。
【００７１】
ＥＰＧ記憶部２０は、多チャンネル放送の電子番組表データ（ＥＰＧデータ）を記憶する。
【００７２】
案内コンテンツ記憶部１１５および配信スケジュール記憶部１１６は、上記した第１の実施形態の案内コンテンツ記憶部１８および配信スケジュール記憶部１９に相当し、それぞれ案内コンテンツおよび配信スケジュールを記憶する。
【００７３】
図１３は、本発明の第４の実施形態の動作を説明するためのフローチャートである。図１３を参照すると、コンテンツ配信制御部１７は、ＥＰＧ記憶部２０に格納された多チャンネル放送の電子番組表データに基づき、案内コンテンツ記憶部１８に記憶された案内コンテンツおよび配信スケジュール記憶部１９に記憶された配信スケジュールを、少なくも各番組が配信開始となる前のタイミングで事前にＳＴＢ１１に送信しておく（ステップＡ１１、Ａ１２）。このタイミングは各番組の放送開始時刻前であればいつでもよいが、例えば前日や２日前の深夜など通信トラフィックの少ない時間帯に１日分または２日分のデータを事前に一括送信しておくような運用が望ましい。
【００７４】
ＳＴＢ１１は、上記送信された案内コンテンツおよび配信スケジュールをそれぞれ案内コンテンツ記憶部１１５および配信スケジュール記憶部１１６に保存する。
【００７５】
以降は、第１の実施形態と同様に、ユーザがＳＴＢ１１において多チャンネル放送を受信すると（ステップＡ１３）、ＳＴＢ１１は配信スケジュール記憶部１１６に格納された当該番組の配信スケジュールを読み出し（ステップＡ１４）、読み出した配信スケジュールに基づいて(ステップＡ１５)、対応する案内コンテンツを案内コンテンツ記憶部１１５から読み出して画面に表示する（ステップＡ１６）。
【００７６】
表示された案内コンテンツに示された操作内容が入力されると（ステップＡ１７）、当該操作内容に対応する処理が実行される（ステップＡ１８）。
【００７７】
操作内容が入力されなかった場合は、配信スケジュールに従って、案内コンテンツの表示と非表示が繰り返される（ステップＡ１７の「Ｎｏ」）。前記ステップＡ１３からＡ１８までの処理は当該番組の終了まで繰り返され、当該番組が終了して新しい番組の放送開始となった場合、ステップＡ１４に戻って、新しい配信スケジュールが読み出され、同様の処理が繰り返される。また、ユーザがチャンネル切替などの操作を行った場合には、ステップＡ１３に戻って、多チャンネルＨＥ１２に対する選局情報の送信が行われて、以降、同様の処理が繰り返される。
【００７８】
なお、図１２の構成図では省略されているが、本実施形態の構成においても、多チャンネル放送だけでなく、ＶｏＤやｎＰＶＲコンテンツの場合においても、ＳＴＢ１１側に記憶された配信スケジュールに従った案内コンテンツの提示を行うことができる。ＶｏＤの場合はユーザがどのＶｏＤコンテンツを視聴するかを予測することは困難であるが、この場合はユーザの視聴要求が行われたと同時にＳＴＢ１１が、コンテンツ配信制御部１７に、案内コンテンツおよび配信スケジュールをユニキャストで伝送するよう要求すればよい。
【００７９】
また、新作映画やコンサートライブなど多くのユーザがほぼ同時期に視聴する傾向がある一部のＶｏＤコンテンツについては、案内コンテンツおよび配信スケジュールを事前にマルチキャスト配信することで、通信トラフィックおよびサーバ処理負荷を平準化することができる。
【００８０】
また、ｎＰＶＲコンテンツを提供する場合、ユーザが視聴する時期により、当該コンテンツに含まれるＣＭまたは番組紹介コンテンツを変更したいということがある。例えば、すでに広告契約期間を過ぎたＣＭに対して、新しい案内コンテンツや広告終了メッセージページを割り当てたいなどの要望がこれに相当する。この場合、コンテンツ配信制御部１７は、新しい案内コンテンツならびに検索コンテンツＩＤを修正した配信スケジュールをＳＴＢ１１に送信すればよい。このようにすれば、ユーザが過去に放送された番組をｎＰＶＲで視聴する場合、当該番組のコンテンツＩＤに基づいて、更新された配信スケジュールを参照し、更新された案内コンテンツを表示することができる。
【００８１】
以上のように、本実施形態によれば、ネットワークの通信トラフィックおよびサーバの処理負荷を平準化することが可能となる。ＳＴＢ１１に格納された映像コンテンツに対応する案内コンテンツをサービス提供者が更新上書きすることが可能となり、ｎＰＶＲによって過去番組を視聴する場合においても、常に最新の検索コンテンツを表示させることができる。
【００８２】
以上、本発明の実施形態を説明したが、本発明は、上記した実施形態に限定されるものではなく、本発明の基本的技術的思想を逸脱しない範囲で、更なる変形・置換・調整を加えることができる。
【００８３】
例えば、上記した各実施形態では、ＩＰＴＶサービスによる多チャンネル放送を受信する機能を備えるＳＴＢ１１において本発明を実現する例を挙げて説明したが、本発明は、その他のテレビ放送サービスの受信機器にも適用することが可能である。例えば、ケーブルテレビ放送サービス、地上／ＣＳ／ＢＳテレビ放送サービスについても、同様に予め作成した配信スケジュールに基づき、適宜作成した案内コンテンツを配信することで、視聴者に特定の機能の利用、特に、広告主や番組製作者側が意図する行動を行うよう、訴えかけることが可能になる。
【００８４】
また、上記した各実施形態では、赤ボタンの押下にてユーザからの操作内容を受け付けるものとして説明したが、ユーザに要求する操作内容は上記に限定されない。例えば、その他１または２以上のボタン操作の組み合わせ、音声の入力、ポインティングデバイスの操作等を視聴者に要求することができる。
【００８５】
また、上記した各実施形態の案内コンテンツ記憶部１８／１１５、配信スケジュール記憶部１９／１１６が、それぞれ案内コンテンツや配信スケジュールの入力を受け付けて記憶する処理や、コンテンツ配信制御部１７やコンテンツ受信端末（ＳＴＢ１１）が、前記配信スケジュールに基づいて案内コンテンツを配信または表示させる処理は、コンテンツ配信システムを構成するサーバ・コンピュータやコンテンツ受信端末に搭載されたコンピュータにこれらの処理を実行させるプログラムよって実現することができる。
【産業上の利用可能性】
【００８６】
本発明は、ユーザに番組に関連する情報を提供したり、視聴や録画の予約を促すといった用途のみならず、ユーザに番組の任意のタイミングでアンケート回答コンテンツへのアクセスを促すといった用途にも適用できる。また、コンテンツ受信端末として、携帯電話端末やモバイル端末を用いるユーザに、映像視聴と同時に、電子掲示板、ソーシャルネットワークサービス、チャットや音声通話を提供するコミュニケーションサービスを提供するウェブサイト等へのアクセスを促すといった用途にも適用できる。さらに、本発明は、街頭や店舗内の表示装置に、広告コンテンツ等の映像を表示させて広告を行う、いわゆるデジタルサイネージといったサービス分野において、当該映像コンテンツを視聴しているユーザに、当該表示装置として用いられているパーソナルコンピュータを用いて、詳細な商品情報の取得を促すといった用途にも適用可能である。
【符号の説明】
【００８７】
１０  表示画面
１０ａ  映像表示領域
１０ｂ  案内コンテンツの表示領域
１１  セットトップボックス（ＳＴＢ）
１２  ホームゲートウェイ（ＨＧＷ）
１３  多チャンネルヘッドエンド設備（多チャンネルＨＥ）
１４  ｎＰＶＲ録画部（ｎＰＶＲ）
１５  映像配信制御部
１６  映像コンテンツ記憶部
１７  コンテンツ配信制御部
１８  案内コンテンツ記憶部
１９  配信スケジュール記憶部
２０  ＥＰＧ記憶部
１１１  映像取得提示部
１１２  コンテンツ取得提示部
１１３  ローカル映像コンテンツ記憶部
１１４  録画制御部
１１５  案内コンテンツ記憶部
１１６  配信スケジュール記憶部
【図１】
2010245773.tif 000003
【図２】
2010245773.tif 000004
【図３】
2010245773.tif 000005
【図４】
2010245773.tif 000006
【図５】
2010245773.tif 000007
【図６】
2010245773.tif 000008
【図７】
2010245773.tif 000009
【図８】
2010245773.tif 000010
【図９】
2010245773.tif 000011
【図１０】
2010245773.tif 000012
【図１１】
2010245773.tif 000013
【図１２】
2010245773.tif 000014
【図１３】
2010245773.tif 000015